【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
音声出力および／または表示出力を含むコンテンツデータを車両乗員に提供する端末装置であって、
予め複数のコンテンツデータを記憶する記憶手段と、
前記記憶手段が記憶した複数のコンテンツデータのうち、契約が完了したコンテンツデータを選択的に再生可能とする選択処理手段と、を備え、
前記選択処理手段は、前記契約が完了したコンテンツ提供者名を表示可能であることを特徴とする端末装置。
【請求項２】
音声出力および／または表示出力を含むコンテンツデータを車両乗員に提供する端末装置であって、
予め複数のコンテンツデータを記憶する記憶手段と、
前記記憶手段が記憶した複数のコンテンツデータのうち、契約が完了したコンテンツデータを選択的に再生可能とする選択処理手段と、を備え、
前記選択処理手段は、前記契約が完了したコンテンツ提供者の表示を他のコンテンツ提供者の表示に対して異ならせることを特徴とする端末装置。
【請求項３】
音声出力および／または表示出力を含むコンテンツデータを車両乗員に提供する端末装置であって、
予め複数のコンテンツデータを記憶する記憶手段と、
前記記憶手段が記憶した複数のコンテンツデータのうち、契約が完了したコンテンツデータを選択的に再生可能とする選択処理手段と、を備え、
前記選択処理手段は、前記契約が完了したコンテンツデータに関する情報を選択可能に表示することを特徴とする請求項１または２に記載の端末装置。
【請求項４】
音声出力および／または表示出力を含むコンテンツデータを車両乗員に提供する端末装置であって、
予め複数のコンテンツデータを記憶する記憶手段と、
前記記憶手段が記憶した複数のコンテンツデータのうち、契約が完了したコンテンツデータを選択的に再生可能とする選択処理手段と、を備え、
前記選択処理手段は、前記契約が完了したコンテンツデータに関する表示を未契約のコンテンツデータに関する表示と異ならせることを特徴とする端末装置。
【請求項５】
前記コンテンツデータを提供するコンテンツ提供者と契約処理を行なう契約処理手段をさらに備え、
前記選択処理手段は、前記記憶手段が記憶した複数のコンテンツデータのうち、前記契約処理手段による契約が完了したコンテンツ提供者から提供を受けたコンテンツデータを選択的に再生可能とすることを特徴とする請求項１〜４のいずれか一つに記載の端末装置。
【請求項６】
前記コンテンツデータを再生可能にするキーデータを車両外部との通信によって取得する通信手段をさらに備えたことを特徴とする請求項１〜５のいずれか一つに記載の端末装置。
【手続補正２】
【補正対象書類名】明細書
【補正対象項目名】０００６
【補正方法】変更
【補正の内容】
【０００６】
上述した課題を解決し、目的を達成するため、請求項１の発明に係る端末装置は、音声出力および／または表示出力を含むコンテンツデータを車両乗員に提供する端末装置であって、予め複数のコンテンツデータを記憶する記憶手段と、前記記憶手段が記憶した複数のコンテンツデータのうち、契約が完了したコンテンツデータを選択的に再生可能とする選択処理手段と、を備え、前記選択処理手段は、前記契約が完了したコンテンツ提供者名を表示可能であることを特徴とする。
【手続補正３】
【補正対象書類名】明細書
【補正対象項目名】０００７
【補正方法】変更
【補正の内容】
【０００７】
この請求項１の発明によれば端末装置は、記憶手段に予め複数のコンテンツデータを記憶し、記憶手段が記憶した複数のコンテンツデータのうち、契約が完了したコンテンツデータを選択的に再生可能とするとともに、契約が完了したコンテンツ提供者を選択的に表示することで、そのコンテンツ提供者から提供を受けたコンテンツデータを選択的に再生可能とする。
【手続補正４】
【補正対象書類名】明細書
【補正対象項目名】０００８
【補正方法】変更
【補正の内容】
【０００８】
また、請求項２の発明に係る端末装置は、音声出力および／または表示出力を含むコンテンツデータを車両乗員に提供する端末装置であって、予め複数のコンテンツデータを記憶する記憶手段と、前記記憶手段が記憶した複数のコンテンツデータのうち、契約が完了したコンテンツデータを選択的に再生可能とする選択処理手段と、を備え、前記選択処理手段は、前記契約が完了したコンテンツ提供者の表示を他のコンテンツ提供者の表示に対して異ならせることを特徴とする。
【手続補正５】
【補正対象書類名】明細書
【補正対象項目名】０００９
【補正方法】変更
【補正の内容】
【０００９】
この請求項２の発明によれば端末装置は、記憶手段に予め複数のコンテンツデータを記憶し、記憶手段が記憶した複数のコンテンツデータのうち、契約が完了したコンテンツデータを選択的に再生可能とするとともに、契約が完了したコンテンツプロバイダの表示を他のコンテンツプロバイダの表示に対して異ならせる。
【手続補正６】
【補正対象書類名】明細書
【補正対象項目名】００１０
【補正方法】変更
【補正の内容】
【００１０】
また、請求項３の発明に係る端末装置は、音声出力および／または表示出力を含むコンテンツデータを車両乗員に提供する端末装置であって、予め複数のコンテンツデータを記憶する記憶手段と、前記記憶手段が記憶した複数のコンテンツデータのうち、契約が完了したコンテンツデータを選択的に再生可能とする選択処理手段と、を備え、前記選択処理手段は、前記契約が完了したコンテンツデータに関する情報を選択可能に表示することを特徴とする。
【手続補正７】
【補正対象書類名】明細書
【補正対象項目名】００１１
【補正方法】変更
【補正の内容】
【００１１】
この請求項３の発明によれば端末装置は、記憶手段に予め複数のコンテンツデータを記憶し、記憶手段が記憶した複数のコンテンツデータのうち、契約が完了したコンテンツ提供者から提供を受けたコンテンツデータを選択的に表示することで、そのコンテンツデータを選択的に再生可能とする。
【手続補正８】
【補正対象書類名】明細書
【補正対象項目名】００１２
【補正方法】変更
【補正の内容】
【００１２】
また、請求項４の発明に係る端末装置は、音声出力および／または表示出力を含むコンテンツデータを車両乗員に提供する端末装置であって、予め複数のコンテンツデータを記憶する記憶手段と、前記記憶手段が記憶した複数のコンテンツデータのうち、契約が完了したコンテンツデータを選択的に再生可能とする選択処理手段と、を備え、前記選択処理手段は、前記契約が完了したコンテンツデータに関する表示を未契約のコンテンツデータに関する表示と異ならせることを特徴とする。
【手続補正９】
【補正対象書類名】明細書
【補正対象項目名】００１３
【補正方法】変更
【補正の内容】
【００１３】
この請求項４の発明によれば端末装置は、記憶手段に予め複数のコンテンツデータを記憶し、記憶手段が記憶した複数のコンテンツデータのうち、契約が完了したコンテンツ提供者から提供を受けたコンテンツデータを選択的に再生可能とするとともに、そのコンテンツデータの表示を他のコンテンツデータの表示に対して異ならせる。
【手続補正１０】
【補正対象書類名】明細書
【補正対象項目名】００１４
【補正方法】変更
【補正の内容】
【００１４】
また、請求項５の発明に係る端末装置は、請求項１〜４のいずれか一つに記載の発明において、前記コンテンツデータを提供するコンテンツ提供者と契約処理を行なう契約処理手段をさらに備え、前記選択処理手段は、前記記憶手段が記憶した複数のコンテンツデータのうち、前記契約処理手段による契約が完了したコンテンツ提供者から提供を受けたコンテンツデータを選択的に再生可能とすることを特徴とする。
【手続補正１１】
【補正対象書類名】明細書
【補正対象項目名】００１５
【補正方法】変更
【補正の内容】
【００１５】
この請求項５の発明によれば端末装置は、記憶手段に予め複数のコンテンツデータを記憶し、コンテンツデータを提供するコンテンツ提供者との契約処理を行ない、記憶手段が記憶した複数のコンテンツデータのうち、契約が完了したコンテンツ提供者から提供を受けたコンテンツデータを選択的に再生可能とする。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
また、請求項６の発明に係る端末装置は、請求項１〜５のいずれか一つに記載の発明において、前記コンテンツデータを再生可能にするキーデータを車両外部との通信によって取得する通信手段をさらに備えたことを特徴とする。
【手続補正１５】
【補正対象書類名】明細書
【補正対象項目名】００１９
【補正方法】変更
【補正の内容】
【００１９】
この請求項６の発明によれば端末装置は、記憶手段に予め複数のコンテンツデータを記憶し、コンテンツデータを提供するコンテンツ提供者との契約処理を行ない、記憶手段が記憶した複数のコンテンツデータのうち、契約が完了したコンテンツ提供者から提供を受けたコンテンツデータを再生可能とするとともに、そのコンテンツデータの再生に必要なキーデータを車両外部との通信によって取得する。
【手続補正１６】
【補正対象書類名】明細書
【補正対象項目名】００２０
【補正方法】変更
【補正の内容】
【００２０】
請求項１の発明によれば端末装置は、記憶手段に予め複数のコンテンツデータを記憶し、記憶手段が記憶した複数のコンテンツデータのうち、契約が完了したコンテンツデータを選択的に再生可能とするとともに、契約が完了したコンテンツ提供者を選択的に表示することで、そのコンテンツ提供者から提供を受けたコンテンツデータを選択的に再生可能とするので、コンテンツデータの選択におけるユーザの操作性を向上した端末装置を得ることができるという効果を奏する。
【手続補正１７】
【補正対象書類名】明細書
【補正対象項目名】００２１
【補正方法】変更
【補正の内容】
【００２１】
また、請求項２の発明によれば端末装置は、記憶手段に予め複数の音楽データを記憶し、記憶手段が記憶した複数のコンテンツデータのうち、契約が完了したコンテンツデータを選択的に再生可能とするとともに、契約が完了したコンテンツプロバイダの表示を他のコンテンツプロバイダの表示に対して異ならせるので、音楽データの選択におけるユーザの操作性を向上するとともに他のコンテンツプロバイダの契約状態を通知する端末装置を得ることができるという効果を奏する。
【手続補正１８】
【補正対象書類名】明細書
【補正対象項目名】００２２
【補正方法】変更
【補正の内容】
【００２２】
また、請求項３の発明によれば端末装置は、記憶手段に予め複数のコンテンツデータを記憶し、記憶手段が記憶した複数のコンテンツデータのうち、契約が完了したコンテンツ提供者から提供を受けたコンテンツデータを選択的に表示することで、そのコンテンツデータを選択的に再生可能とするので、コンテンツデータの選択におけるユーザの操作性をさらに向上した端末装置を得ることができるという効果を奏する。
【手続補正１９】
【補正対象書類名】明細書
【補正対象項目名】００２３
【補正方法】変更
【補正の内容】
【００２３】
また、請求項４の発明によれば端末装置は、記憶手段に予め複数のコンテンツデータを記憶し、記憶手段が記憶した複数のコンテンツデータのうち、契約が完了したコンテンツ提供者から提供を受けたコンテンツデータを選択的に再生可能とするとともに、そのコンテンツデータの表示を他のコンテンツデータの表示に対して異ならせるので、コンテンツデータの選択におけるユーザの操作性を向上するとともに他のコンテンツプロバイダとの契約によってコンテンツデータを取得可能な端末装置を得ることができるという効果を奏する。
【手続補正２０】
【補正対象書類名】明細書
【補正対象項目名】００２４
【補正方法】変更
【補正の内容】
【００２４】
また、請求項５の発明によれば端末装置は、記憶手段に予め複数のコンテンツデータを記憶し、コンテンツデータを提供するコンテンツ提供者との契約処理を行ない、記憶手段が記憶した複数のコンテンツデータのうち、契約が完了したコンテンツ提供者から提供を受けたコンテンツデータを選択的に再生可能とするので、コンテンツデータの選択におけるユーザの操作性をさらに向上した端末装置を得ることができるという効果を奏する。
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】変更
【補正の内容】
【００２６】
また、請求項６の発明によれば端末装置は、記憶手段に予め複数のコンテンツデータを記憶し、コンテンツデータを提供するコンテンツ提供者との契約処理を行ない、記憶手段が記憶した複数のコンテンツデータのうち、契約が完了したコンテンツ提供者から提供を受けたコンテンツデータを再生可能とするとともに、そのコンテンツデータの再生に必要なキーデータを車両外部との通信によって取得するので、コンテンツデータの選択におけるユーザの操作性を向上し、車外との通信量を低減する端末装置を得ることができるという効果を奏する。